(57)【特許請求の範囲】
【請求項１】
記録紙を給紙する複数の給紙手段と、
前記給紙手段から給紙された記録紙に画像を形成する画像形成手段と、
前記画像形成手段により画像形成された記録紙を排紙する複数の排紙手段と、
前記複数の給紙手段のそれぞれにセットされた記録紙の種類を判別する第１の判別手段と、
前記複数の給紙手段のそれぞれにセットされた記録紙のサイズを取得する取得手段と、
前記複数の排紙手段のうち排紙すべき排紙手段を指示する指示手段と、
前記複数の給紙手段のどれを使用するかを自動的に決定する自動用紙選択モードを設定するモード設定手段と、
前記自動用紙選択モードが設定されている場合に、前記指示手段により指示された排紙手段と前記第１の判別手段より判別された記録紙の種類と前記取得手段により取得された記録紙のサイズとに応じて、給紙手段を選択する選択手段と、を有し、前記選択手段は、前記指示手段により指示された排紙手段に排紙可能な記録紙の種類に基づいて給紙手段を選択することを特徴とする画像形成装置。
【請求項２】
前記複数の排紙手段のそれぞれに排紙可能な記録紙の種類の情報を記憶する記憶手段を有し、
前記選択手段は、前記記憶手段に記憶された情報に基づいて、前記指示手段で指示された排紙手段に排紙可能な種類の記録紙がセットされた給紙手段を選択することを特徴とする請求項１記載の画像形成装置。
【請求項３】
前記指示手段で指示された排紙手段に排紙可能な種類の記録紙がセットされた給紙手段がないことに応じて、最適な記録紙がないことを表示する表示手段を有することを特徴とする請求項２記載の画像形成装置。
【請求項４】
記録紙の種類の優先順位を設定する設定手段を有し、
前記選択手段は、前記設定手段により設定された優先順位に基づいて給紙手段を選択することを特徴とする請求項３記載の画像形成装置。
【請求項５】
前記複数の給紙手段のそれぞれにセットされた記録紙の種類を設定する設定手段を有し、
前記第１の判別手段は、前記設定手段による設定に応じて記録紙の種類を判別することを特徴とする請求項１記載の画像形成装置。
【請求項６】
画像形成すべき画像のサイズを判別する第２の判別手段を有し、
前記選択手段は、前記第２の判別手段により判別された画像のサイズとに基づいて給紙手段を選択することを特徴とする請求項１記載の画像形成装置。
【請求項７】
前記画像形成装置はコピーモード、ファクシミリモード及びプリンタモードの少なくとも２つのモードを実行可能であり、
前記モードにおいて画像形成された記録紙を排紙すべき排紙手段を設定する設定手段を有し、
前記指示手段は、前記設定手段による設定に応じて排紙手段を指示することを特徴とする請求項１記載の画像形成装置。
【請求項８】
前記排紙手段に排紙された記録紙が満載になったことを検知する満載検知手段と、
前記満載検知手段で満載が検知された場合に、給紙中の記録紙の種類を排出可能な他の排紙手段があれば該他の排出手段へ切り替え、給紙中の記録紙の種類を排出可能な他の排紙手段がなければ記録紙の給紙を中止させ、警告を行う制御手段と、
を有することを特徴とする請求項１記載の画像形成装置。
【発明の詳細な説明】
【０００１】
【発明の属する技術分野】
本発明は、排紙部で排紙できる記録紙の種類が限定されている画像形成装置に関する。
【０００２】
【従来の技術】
従来、シートにステイプル処理等を行うフィニッシング装置があり、主に複写機に接続されている。また、記録紙の種類を設定する設定手段を有し、複写に最適な種類の記録紙がセットされた給紙カセットを選択する自動記録紙選択機能を有する複写機が開発されている。さらに近年、設置時の占有スペースを最小限にするために、印字した記録紙の排紙トレイを、画像出力装置の筐体内に排紙トレイを持つ複写機が開発されるようになった。
【０００３】
【発明が解決しようとする課題】
上述のような様々な種類の記録紙を取り扱う際に、フィニッシング装置に排出できる記録紙の種類が問題となる。すなわち、フィニッシング装置の内部の構造によっては、腰の強い記録紙が搬送されると紙詰まりを起こす可能性がある。
【０００４】
【課題を解決するための手段】
上記課題に鑑み、排紙部で排紙できる記録紙の種類が限定されていることに対応するため、本発明の画像形成装置は、記録紙を給紙する複数の給紙手段と、前記給紙手段から給紙された記録紙に画像を形成する画像形成手段と、前記画像形成手段により画像形成された記録紙を排紙する複数の排紙手段と、前記複数の給紙手段のそれぞれにセットされた記録紙の種類を判別する第１の判別手段と、前記複数の給紙手段のそれぞれにセットされた記録紙のサイズを取得する取得手段と、前記複数の排紙手段のうち排紙すべき排紙手段を指示する指示手段と、前記複数の給紙手段のどれを使用するかを自動的に決定する自動用紙選択モードを設定するモード設定手段と、前記自動用紙選択モードが設定されている場合に、前記指示手段により指示された排紙手段と前記第１の判別手段により判別された記録紙の種類と前記取得手段により取得された記録紙のサイズとに応じて、給紙手段を選択する選択手段とを有し、前記選択手段は、前記指示手段により指示された排紙手段に排紙可能な記録紙の種類に基づいて給紙手段を選択することにある。
【０００５】
【発明の実施の形態】
図１は、本実施形態の構成を示す複写機であり、リーダ部１およびプリンタ部２の構成を示す断面図である。以下、構成および動作について説明する。原稿給送装置１０１上に積載された原稿は、１枚づつ順次原稿台ガラス面１０２上に搬送される。原稿がガラス面１０２の所定位置へ搬送されると、スキャナ部のランプ１０３が点灯、かつスキャナ・ユニット１０４が移動して原稿を照射する。原稿の反射光は、ミラー１０５、１０６、レンズ１０７を介してＣＣＤイメージ・センサー部１０９（以下ＣＣＤと称する）に入力される。
【０００６】
図２は、上記のリーダ部１の信号処理構成を示す回路ブロック図、図３はリーダ部１及びプリンタ部２を含む複写機のブロック図であり、以下、構成および動作について説明する。ＣＣＤ１０９に照射された原稿の反射光は、ここで光電変換され、レッド、グリーン、ブルーの各色の電気信号に変換される。ＣＣＤ１０９からのカラー情報は、次の増幅器１１０Ｒ、１１０Ｇ、１１０ＢでＡ／Ｄ変換器１１１の入力信号レベルに合わせて増幅される。Ａ／Ｄ変換器１１１からの出力信号は、シェーディング回路１１２に入力され、ここでランプ１０３の配光ムラや、ＣＣＤの感度ムラが補正される。シェーディング回路１１２からの信号は、Ｙ信号・色検出回路１１３及び外部Ｉ／Ｆ切り替え回路１１９に入力される。
【０００７】
Ｙ信号生成・色検出回路１１３は、シェーディング回路１１２からの信号を下記の式で演算を行い、Ｙ信号を得る。
Ｙ＝０．３Ｒ＋０．６Ｇ＋０．１Ｂ
さらに、Ｒ、Ｇ、Ｂの信号から７つの色に分離し各色に対する信号を出力する色検出回路を有する。Ｙ信号生成・色検出回路１１３からの出力信号は、変倍・リピート回路１１４に入力される。スキャナ・ユニット１０４の走査スピードにより副走査方向の変倍を、変倍回路・リピート回路１１４により主走査方向の変倍を行う。また変倍・リピート回路１１４により複数の同一画像を出力することが可能である。輪郭・エッジ強調回路１１５は、変倍・リピート回路１１４からの信号の高周波成分を強調することによりエッジ強調および輪郭情報を得る。輪郭・エッジ強調回路１１５からの信号は、マーカエリア判定・輪郭生成回路１１６とパターン化・太らせ・マスキング・トリミング回路１１７に入力される。
【０００８】
マーカエリア判定・輪郭生成回路１１６は、原稿上の指定された色のマーカペンで書かれた部分を読みとりマーカの輪郭情報を生成し、つぎのパターン化・太らせ・マスキング・トリミング回路１１７でこの輪郭情報から太らせやマスキングやトリミングを行う。また、Ｙ信号生成・色検出回路１１３からの色検出信号によりパターン化を行う。
【０００９】
パターン化・太らせ・マスキング・トリミング回路１１７からの出力信号は、プリンタ部２に出力する場合は、後述する画像データセレクタ１１８により選択され、レーザドライバ回路１１９に入力され各種処理された信号を、レーザを駆動するための信号に変換する。レーザドライバ１１９の出力信号は、プリンタ２に入力され可視像として画像形成が行われる。
【００１０】
画像メモリ１２０は、画像データセレクタ１１８により送られた画像データをＣＰＵ１２２の指示により画像メモリ１２０の指定位置に後述する方法で、記憶及び読み出しを行い、回転処理、画像をメモリ上で合成する機能を行っている。ＣＰＵ回路１２２はリーダ部１を制御するもので、制御プログラム、エラー処理プログラムなどを記憶するＲＯＭ１２４と各種プログラムのワークエリアや操作部１２３で設定された設定情報の記憶などのために利用されるＲＡＭ１２５と各種タイマー制御部等から構成される。尚、ＲＡＭ１２５はバッテリーでバックアップされており、この複写機の電源が切られても、ＲＡＭ１２５に記憶された情報は保持される。
【００１１】
操作部１２３はリーダ部１の画像処理に対する画像編集内容、コピー枚数等の画像動作を指示する各種キー群と、操作時の内容を表示する表示部等を有している。図４は本実施形態の操作部１２３の詳細を示したものである。この操作部１２３には、各種キーと、液晶表示装置からなるドットマトリックスで構成される液晶表示部４３８とが配置されている。液晶表示部４３８は、装置の状態、コピー枚数、倍率、選択記録紙及び各種操作画面を表示する。
【００１２】
また、スタートキー４０３は、コピーをスタートする為のキーであり、リセットキ４０２は設定モードを標準状態に復帰するためのキーである。またキー群４０５は、コピー枚数、ズーム倍率等を入力させる０〜９までのテンキーとその入力をその入力をクリアするためのクリアキーである。濃度キー４０７は濃度をアップダウンするためのキーであり、これにより調整される濃度は、表示エリア４４１に表示される。キー４３７は自動濃度調整機能をＯＮ／ＯＦＦするためのキーとその表示部であり、キー４０６は給紙カセット及びオート記録紙選択を選択するキーでこの選択状態は、液晶表示部４３８に表示される。キー４１０はそれぞれ等倍、定形縮小／拡大を設定するキーである。キー４４０は、ユーザの個別に設定を可能にするユーザモードキーでありこのユーザモードキーを押下することにより、後述する記録紙種類の設定を行う。
【００１３】
図５、図６を用いて画像の記憶方法、読み出し方法について説明する。図５（１）は、画像メモリ１２０の１つの記憶容量を示したもので、本実施形態では、Ａ３サイズの記憶ができるもので、縦４６６１ｘ横６５９６ビットで構成される。この記憶領域が図６に示す様に画像レイアウト領域１つと画像記憶領域として、１００枚分の画像が記憶できる様に構成されている。続いて図５（２）を用いて原稿画像を画像メモリ１２０に記憶する場合の例を示したものである。（２ａ）のようにおかれた原稿は、図に示す様に矢印の方向に順次読み込まれ、先ず、１ライン目が読み込まれると、（２ｂ）に示されるように（０、０）アドレスをスタート位置にＸ方向のカウントアップ、Ｙ方向のカウントアップに指定して、先ず１ライン目が読み込まれるとＹ方向のカウンタが（０、４６６１）方向に順に書き込まれる。次に２ライン目が読み込まれると、Ｘ方向のカウンタがアップされ（１、０）アドレスから（１、４６６１）アドレス方向に順に書き込まれる。次に３ライン目が読み込まれると、Ｘ方向のカウンタがアップされ（２、０）アドレスから（２、４６６１）アドレスまで書き込まれる。この様に読み込み、書き込みを繰り返して（３２９７、４６６１）まで書き込まれる。
【００１４】
次に（２）を用いてメモリに書き込まれた画像データを読み出す処理を（３）（４）を用いて説明する。（３）で記憶されたデータは、（３ａ）に示す様に先ず、１ライン目は、（３２７１、０）アドレスをスタート位置に、Ｘカウンタを順にカウントダウン、Ｙ方向のカウンタをアップに指定して（０、０）方向にＸカウンタを順にダウンしながら読み出す。つぎにＹカウンタをアップさせ、２ライン目の読み出しが行われ、（３２９７、１）アドレスから（０、１）の方向に読み出し、順次このように読み出す事により（３ｂ）の画像を読み出すことができる。
【００１５】
（４）では記憶されたデータは、（４ｂ）に示す様に先ず１ライン目は（０、０）のアドレスをスタート位置にし、Ｘ方向のカウンタをアップ、Ｙ方向のカウンタをダウンに指定して（０、４６６１）の方向にＹカウンタを順次アップしながら読み出す。次にＸカウンタをアップさせ、２ライン目の読み出しが行われ、（１、０）アドレスから（１、４６６１）方向に読み出し、順次この様に読み出すことにより、（４ｂ）の読み出しをおこなうことができる。従って、（２ａ）に示すＡ４幅の原稿を（３）の方向で読み出すことで画像を回転しないで読み出すことができる。
【００１６】
次に画像レイアウトについて説明する。前述したように（５ａ）（５ｂ）のような個々に記憶された画像を読み出し、画像メモリ１２０の所望の位置に画像を書き込むことにより（５ｃ）に示すように別々の原稿画像を画像メモリ１２０上で合成することができる。
【００１７】
図１を参照しながらプリンタ部２の構成および動作について説明する。プリンタ部２に入力された画像信号は、露光制御部２０１にて変調された光信号に変換されて感光体２０２を照射する。照射光によって感光体２０２上に作られた潜像は現像器２０３によって現像される。上記現像像の先端とタイミングを併せて記録紙カセット２１４乃至２１７より記録紙が搬送され、転写部２０６において、上記現像された像が転写される。転写された像は定着部２０７にて記録紙に定着された後、排紙トレイ２１０、２１１、３０５のいずれかに排紙を行う。排紙トレイ２１０に排紙する場合、フラッパ２４０を排紙トレイ２１０と反対側に傾けることにより２１０に排紙を行う。又、排紙トレイ２１１に排紙を行う場合、フラッパ２４１を排紙トレイ２１１と反対側に傾けることにより排紙トレイ２１１での通紙を可能とする。又、排紙トレイ３０５にフェイスアップ状態で排紙を行う場合は、フラッパ２４１を排紙トレイ２１１側に傾けることにより、排紙トレイ３０５に排紙を行う。また、排紙トレイ３０５にフェイスダウン状態で排紙を行う場合は、フラッパ２４１を排紙トレイ２１１と反対側に傾けることにより、排紙トレイ２１１側に記録紙を一旦排紙トレイ２１１側に導いた後、スイッチバックさせ、排紙ローラ２１２を介して排紙トレイ３０５に排紙を行う。排紙トレイ３０５から排紙された記録紙は、フィニッシャ３に引き渡されパンチユニット３０１を通り、パンチ機能が働いている場合は、パンチされ、ステイプラ３０２に渡され、ステイプルする場合は、ステイプルされる。ステイプラを通過した記録紙は、フィニッシャの排紙トレイ３０５に排出される。
【００１８】
尚、紙詰まりを防止するため、排紙トレイ２１０、２１１、３０５に排紙できる記録紙の種類は排紙トレイ毎に決められており、ＲＯＭ１２４又はＲＡＭ１２５に記憶されている。具体的には、ＲＯＭ１２４又はＲＡＭ１２５に、排紙トレイ２１１及び３０５には普通紙及び再生紙のみが排紙可能であることが記憶され、排紙トレイ２１０には普通紙、再生紙、色紙、パンチ紙、ラベル紙、厚紙、ＯＨＰ紙、レターヘッド紙及び第二原図紙（薄紙）が排紙可能であることが記憶されている。このように、排紙トレイ２１１及び３０５に排紙できる記録紙の種類が制限されている。
【００１９】
続いて、順次読み込む画像を１枚の記録紙の両面に出力する方法について説明する。定着部２０７で定着された記録紙を、一度、排紙トレイ２１０まで搬送後、記録紙の搬送向きを反転してフラッパ２４２を介して再給紙用記録紙積載部２１０に搬送する。次の原稿が準備されると、上記プロセスと同様にして原稿画像が読みとられるが記録紙については再給紙用記録紙積載部２１０より給紙されるので、同一記録紙の表面、裏面に２枚の原稿画像を出力することができる。
【００２０】
次に、図７に従い、記録紙の種類の設定方法について説明する。給紙カセット２１４にＢ４サイズ、給紙カセット２１５にＡ４サイズ、給紙カセット２１６にＡ４サイズ、給紙カセット２１７にＡ４サイズの記録紙が格納されているとする。ユーザモードキー４４０を押下すると液晶表示部２３８に図７（１）に示される操作画面が表示される。キー７０１は、機械の動作に対し共通に設定を行うキーで、共通機能設定キーである。キー７０２は、コピー機能に対し設定するキーで、オート回転のＯＮ／ＯＦＦなどを設定する。キー７０３は、調整クリーニングに対するキーであり、ズームの調整などを設定する。キー７０４はタイマーに関するキーでこのキーを押下することで、日付時刻などを設定することができる。キー７０１を押下すると図７（２）に示される操作画面が表示される。キー７０６が記録紙の種類を設定するキーであり、これを押下すると、図７（３）に示される操作画面が表示される。この画面上の７０７−２〜７０７−５までのキーを押下することで、図７（４）に示される操作画面が表示され、おのおのの給紙カセットに対する記録紙の種類を設定することができる。ここでは、給紙カセット２１４を、普通紙に設定したとする。同様にして給紙カセット２１５を色紙、給紙カセット２１６を再生紙、給紙カセット２１７を普通紙に設定したとする。７０７−６は記録紙種類の優先順位を設定するキーである。このキー７０７−６を押下すると図７（５）に示す画面を表示する。この画面において各記録紙の種類の自動給紙選択における優先順位をテンキー４０５を用いて設定することができる。ここでは、優先順位を普通紙が１、再生紙が２、色紙が３、厚紙を４と設定したとする。またキー７０７−７は記録紙がなくなった場合に給紙カセット変更を行うかどうかを設定するためのものである。以上の設定はＲＡＭ１２５に記憶される。
【００２１】
図７（８）に示す操作画面は、専用トレイの設定のための画面である。排紙トレイ３０５に対応するのがトレイＡであり、排紙トレイ２１０に対応するのがトレイＢであり、排紙トレイ２１１に対応するのがトレイＣである。ここでは、コピーモードでは、トレイＡ（排紙トレイ３０５）とトレイＢ（排紙トレイ２１０）に排紙する設定となっている。また、ファクシミリモードではトレイＢ（排紙トレイ２１０）に、プリンタモードではトレイＣ（排紙トレイ２１１）に排紙する設定となっている。このモード別の排紙トレイの設定に関する情報はＲＡＭ１２５に記憶される。
【００２２】
次に記録紙の種類の設定を用いた動作を図８〜図１１のフローチャートを用いて説明する。以下のフローチャートを実行するためのプログラムはＲＯＭ１２４に記憶され、ＣＰＵ１２２により読み出されて実行される。先ず、図１に示す原稿給送装置１０１の原稿トレイ上に設置された図示せぬ原稿検知センサにより原稿があるかどうか判断する（８−１）。この時、原稿台トレイ上に原稿がない場合は、図示せぬ原稿台上のサイズ検知センサで検知されたサイズをＲＡＭ１２５から読み取る（８−４）。原稿給送装置１０１に原稿がある場合は原稿を給送し（８−２）、原稿ガイドの幅と原稿台ガラスに搬送した原稿の長さに基づいて原稿サイズを検知する（８−３）。ここでは、原稿のガイド幅が２９７ｍｍで原稿を搬送した長さが２１０ｍｍであるので、原稿サイズがＡ４であると検知する。
【００２３】
次に、原稿Ａ４に最適な記録紙を選択する。まず、全給紙カセットのサイズを取得し（８−５）。自動給紙選択の対象となる給紙カセットが存在するか判別する（８−６）。ここでは、給紙カセット２１４〜２１７における記録紙のサイズがそれぞれＢ４、Ａ４、Ａ４、Ａ４であるので、まず給紙カセット２１５、２１６、２１７が自動記録紙選択の対象となる。この中で実際に記録紙があるかどうかを検知する（８−６）。各給紙カセットとも記録紙が入っているので選択対象とする（８−７）。記録紙がなかった場合は、給紙対象から除外する（８−８）。この判別を全ての給紙カセットに対して行う（８−９）。ここで、もし給紙対象となる給紙カセットがない場合は（８−１０）、操作部１２３に最適記録紙がないことを表示し（８−１９）、動作を終了する。
【００２４】
次に、図７（８）の画面で設定されＲＡＭ１２５に記憶された排紙トレイを参照して、排紙すべき排紙トレイを決定し、その排紙トレイに排紙できる記録紙タイプをＲＯＭ１２４又はＲＡＭ１２５から読み取る（８−１１）。コピーモードでステイプル処理が設定されている場合、排紙すべき排紙トレイは排紙トレイ３０５と決定される。排紙トレイ３０５に排紙できる記録紙の種類は普通紙及び再生紙である。
【００２５】
次に、給紙カセット２１５、２１６、２１７における記録紙の種類をＲＡＭ１２５から読み取る。ここでは、給紙カセット２１５が色紙、給紙カセット２１６が再生紙、給紙カセット２１７が普通紙とする。この時、各給紙カセットの記録紙種類が、排紙トレイ３０５の排出可能な記録紙の種類と一致するか判断する（８−１２）。給紙カセット２１５は色紙であるため、選択対象外となる（８−１４）。給紙カセット２１６、２１７はこの条件に合致する（８−１３）。全ての対象給紙カセットについての判別が終わったら（８−１５）、給紙カセットにおける記録紙の種類と指定された排紙トレイに排紙可能な記録紙の種類に基づいて、選択可能な給紙カセットがあるか否か判別する（８−１６）。ここで、給紙対象となる給紙カセットがない場合は、最適記録紙がないことを操作部１２３に表示し（８−１９）、動作を終了する。
【００２６】
次に、各給紙カセットの記録紙の種類に設定された優先順位をＲＡＭ１２５から読み取る（８−１７）。ここでは、給紙カセット２１６が再生紙であるため優先度２、給紙カセット２１７が普通紙であるため優先度１である。この中で優先度が一番高い給紙カセット２１７を最適な給紙カセットとして選出し（８−１８）、コピーを開始する（８−２０）。このように排紙すべき排紙トレイに排紙可能な記録紙の種類の情報に基づいて給紙カセットを自動的に選択する。
【００２７】
次に、図９を参照して、最適として選択した給紙カセットが紙なしになったときの給紙カセットの自動切り換えについて説明する。ここでは、給紙カセット２１４にＢ４が、給紙カセット２１５にはＡ４が、給紙カセット２１６にはＡ４が、給紙カセット２１７にはＡ４の記録紙が入っていたとする。操作部７−３において各給紙カセットの記録紙の種類を給紙カセット２１４は普通紙、 給紙カセット２１５は色紙、給紙カセット２１６は普通紙、給紙カセット２１７は普通紙と設定したとする。
【００２８】
Ａ４サイズの原稿を１００枚コピーするとして、給紙カセット２１４に１００枚、給紙カセット２１５に２０枚、給紙カセット２１６に５０枚、給紙カセット２１７に１００枚の記録紙が入っている状態でコピーが開始されたとする。先ず、コピーが開始されると（９−１）、コピーが終了したか判別し（９−２）、終了していない場合は、現在給紙中の給紙カセットに記録紙があるかどうか判別する（９−５）。ある場合はコピー動作を続行し、ない場合は前述のステップ８−６〜８−９で得た情報に基づいて、選択可能な給紙カセットが他にあるか判別する（９−６）。ここで、もし給紙対象となる給紙カセットがない場合は、操作部１２３に最適記録紙がないことを表示し（９−２０）、動作を終了する。
【００２９】
次に、図７（８）の画面で設定されＲＡＭ１２５に記憶された排紙トレイを参照して、排紙すべき排紙トレイを決定し、その排紙トレイに排紙できる記録紙タイプをＲＯＭ１２４又はＲＡＭ１２５から読み取る（９−７）。ここでは、排紙すべき排紙トレイは排紙トレイ３０５であり、排紙トレイ３０５は排紙できる記録紙の種類が普通紙及び再生紙である。
【００３０】
次に、給紙カセット２１５、２１６、２１７における記録紙の種類をＲＡＭ１２５から読み取る。ここでは、給紙カセット２１５が色紙、給紙カセット２１６が普通紙、給紙カセット２１７が普通紙とする。この時、各給紙カセットの記録紙種類が、排紙トレイ３０５の排出可能な記録紙の種類と一致するか判断する（９−８）。給紙カセット２１５は色紙であるため、選択対象外となる（９−１０）。給紙カセット２１６、２１７はこの条件に合致する（９−９）。全ての対象給紙カセットについての判別が終わったら（９−１１）、給紙カセットにおける記録紙の種類と指定された排紙トレイに排紙可能な記録紙の種類に基づいて、選択可能な給紙カセットがあるか否か判別する（９−１２）。ここで、給紙対象となる給紙カセットがない場合は、最適記録紙がないことを操作部１２３に表示し（９−２０）、動作を終了する。ここでは、給紙カセット２１６、２１７を給紙対象の給紙カセットとする。
【００３１】
次に、各給紙カセットの記録紙の種類に設定された優先順位をＲＡＭ１２５から読み取る（９−１３）。ここでは、給紙カセット２１６が普通紙であるため優先度１、給紙カセット２１７が普通紙であるため優先度１である。この中で給紙カセット２１６の方が、図１に示すように搬送パスが短いため、給紙カセット２１６を最適な給紙カセットとして選出し（９−１４）、コピーを開始する（９−１５）。
【００３２】
この時、給紙カセットは給紙カセット２１６でＡ４サイズ、記録紙種類は、普通紙として記憶する。コピーを開始すると、給紙カセット２１６から２０枚給紙する。２０枚給紙後、給紙カセット２１６には記録紙がなくなったため（９−１７）、他の給紙カセットで給紙できるものがないか探す（９−１８）。Ａ４サイズで記録紙の入っている給紙カセットは給紙カセット２１５と給紙カセット２１７である。この時、給紙カセット２１５の記録紙の種類は色紙、給紙カセット２１７は普通紙であり、現在給紙している記録紙の種類は普通紙であるので、給紙カセット２１７を選択（９−１９）し、給紙を続ける。給紙カセット２１７から５０枚給紙後、給紙カセット２１７も記録紙がなくなる。
【００３３】
次に、Ａ４サイズの給紙カセットは給紙カセット２１５である。現在給紙している記録紙種類は普通紙であるので、色紙がセットされている給紙カセット２１５の記録紙種類とは合致しない（９−１８）。給紙カセット２１５は色紙であるので、これを給紙すると紙詰まりの原因になるため、給紙動作を止め操作部１２３にＡ４の普通紙がなくなったことを表示する（９−２０）
次に、図１０を用いて排紙トレイの記録紙が満載となったときの排紙トレイ切り替えについて説明する。排紙トレイ２１０、３０５が選択され、給紙カセット２１５の第二原図（薄紙）を選択し、出力部数は９９９枚であり、５００枚排紙している状態である。排紙トレイ３０５は記録紙が５００枚積載されたところで満載を検知する（１０−１）。そのため、次に排紙続行可能な排紙トレイを探す（１０−２）。排紙トレイ２１０、３０５が選択されており、排紙トレイ３０５に排紙可能な記録紙の種類を判断する（１０−３）。排紙トレイ３０５は、普通紙及び再生紙のみが排紙可能であり、排紙トレイ２１０に排紙している第二原図（薄紙）は排紙トレイ３０５には排紙できない。そのため、排紙トレイ３０５に変更して排紙することは不可能と判断し（１０−４）、給紙をやめ、操作部１２３に排紙トレイが一杯であることを表示し（１０−７）、ユーザに排紙トレイ２１０の記録紙を取り除いてもらうまで動作を中断する。
【００３４】
ところが、給紙カセット２１５に普通紙が入っている場合に、排紙トレイ２１０、３０５が選択される場合もある。この場合について説明する。出力部数９９９枚であり、給紙カセット２１５には普通紙がセットされ、５００枚コピーしている状態である。排紙トレイ３０５は５００枚で満載を検知する。そのため次に排紙続行可能な排紙トレイを探す。排紙トレイ２１０、３０５が選択されており、排紙トレイ３０５に排紙可能な記録紙の種類を判断する。排紙トレイ３０５は、普通紙、再生紙のみが排紙可能であり、排紙トレイ２１０に排紙している普通紙は排紙トレイ３０５に排紙することが可能である。そのため、排紙トレイ３０５に変更して排紙し（１０−５）、残り４９９枚を排紙して動作を終了する。
【００３５】
次に、ステイプル装置、パンチ穴開け装置が接続された場合の動作について図１１を参照して説明する。図１に示すようにステイプル装置、パンチ穴あけ装置は、排紙トレイ３０５に接続されるフィニッシング装置３である。給紙カセット２１４にはＢ４が、給紙カセット２１５にはＡ４が、給紙カセット２１６にはＡ４が、給紙カセット２１７にはＡ４の記録紙が入っていたとする。操作部１２３において各給紙カセットの記録紙の種類を給紙カセット２１４は普通紙を、給紙カセット２１５は厚紙を、給紙カセット２１６は普通紙を、給紙カセット２１７は普通紙と設定したとする。原稿Ａ４の原稿を１００枚コピーするとして、給紙カセット２１５が選択され、パンチ穴開けを行う設定がなされたとする。
【００３６】
まず、パンチ穴あけ装置に排紙できる記録紙の種類を確認する（１１−１０）。パンチ穴あけ装置は排紙トレイ３０５に接続されるため、排紙トレイ３０５に排紙できる記録紙の種類は、普通紙、再生紙である。選択された給紙カセット２１５は厚紙であるため、排紙トレイ３０５には排紙することができない。そのため操作部１２３に「この記録紙タイプではパンチできません」の表示を行い（１１−１１）、動作を可能としない。
【００３７】
また、排紙トレイ３０５について記録紙の種類に制限を持たずにフィニッシング装置が記録紙の種類に対して制限を持つ場合もある。この場合についても同様であり、排紙トレイ３０５の制限の代わりに、フィニッシング装置の排紙記録紙種類の制限を適用し、フィニッシング装置３が厚紙を排紙できなければ、「この記録紙タイプではパンチできません」と表示する。
【００３８】
次にステイプル装置、パンチ穴あけ装置が接続された場合に、給紙カセットを自動選択する場合について図１２を参照して説明する。先ず、図１に示す原稿給送装置１０１の原稿トレイ上に設置された図示せぬ原稿検知センサにより原稿があるかどうか判断する。この時、原稿台トレイ上に原稿がない場合は、図示せぬ原稿台上のサイズ検知センサで検知されたサイズをＲＡＭ１２５から読み取る。原稿給送装置１０１に原稿がある場合は原稿を給送し、原稿ガイドの幅と原稿台ガラスに搬送した原稿の長さに基づいて原稿サイズを検知する。ここでは、原稿のガイド幅が２９７ｍｍで原稿を搬送した長さが２１０ｍｍであるので、原稿サイズがＡ４であると検知する（１２−１）。
【００３９】
次に、原稿Ａ４に最適な記録紙を選択する。まず、全給紙カセットのサイズを取得し（１２−２）。自動給紙選択の対象となる給紙カセットが存在するか判別する（１２−３）。ここでは、給紙カセット２１４〜２１７における記録紙のサイズがそれぞれＢ４、Ａ４、Ａ４、Ａ４であるので、まず給紙カセット２１５、２１６、２１７が自動記録紙選択の対象となる。この中で実際に記録紙があるかどうかを検知する（１２−３）。各給紙カセットとも記録紙が入っているので選択対象とする（１２−４）。記録紙がなかった場合は、給紙対象から除外する（１２−５）。この判別を全ての給紙カセットに対して行う（１２−６）。ここで、もし給紙対象となる給紙カセットがない場合は（１２−７）、操作部１２３に最適記録紙がないことを表示し（１２−２５）、動作を終了する。
【００４０】
次に、図７（８）の画面で設定されＲＡＭ１２５に記憶された排紙トレイを参照して、排紙すべき排紙トレイを決定し、その排紙トレイに排紙できる記録紙タイプをＲＯＭ１２４又はＲＡＭ１２５から読み取る（１２−８）。排紙すべきトレイとして排紙トレイ２１０と設定されている。ところが、排紙トレイ３０５にフィニッシング装置３が接続されており、排紙トレイ２１０に排出するとフィニッシングができない。そのため排紙トレイを３０５に変更する（１２−３０）。排紙トレイ３０５に排出可能な記録紙の種類は普通紙及び再生紙である。そのため排紙可能が記録紙タイプとして普通紙及び再生紙を記憶する。
【００４１】
次に、給紙カセット２１５、２１６、２１７の記録紙の種類をＲＡＭ１２５から読み取る。給紙カセット２１５が色紙、給紙カセット２１６が再生紙、給紙カセット２１７が普通紙である。この時、各給紙カセットの記録紙種類が、前記排紙トレイ３の排出可能な記録紙の種類と一致するか判断する（１２−９）。このとき、給紙カセット２１５は色紙であるため、選択対象外となる（１２−１１）。給紙カセット２１６、２１７はこの条件にいずれも合致する。ここで給紙対象となる給紙カセットがない場合は、操作部１２３に最適記録紙がないことを表示し（１２−２５）、動作を終了する。
【００４２】
次に、各給紙カセットの記録紙の種類に設定された優先順位をＲＡＭ１２５から読み取る（１２−１８）。今給紙カセット２１６が再生紙であるため優先度２、給紙カセット２１７が普通紙であるため優先度１である。この中で優先度が一番高い給紙カセット２１７を最適な給紙カセットとして選出し（１２−１９）、コピーを開始する。
【００４３】
また排紙トレイ３０５について記録紙の種類に制限を持たずにフィニッシング装置３が記録紙の種類に対して制限を持つ場合もある。この場合についても同様であり、排紙トレイ３０５の制限の代わりに、フィニッシング装置３の排紙記録紙種類の制限を適用し（１２−１２）、フィニッシング装置が色紙を排紙できなければ、普通紙を選択する（１２−１４）。
【００４４】
さらに、フィニッシング中に、今給紙を行っている給紙カセットの記録紙がなくなった場合に。フィニッシング後の仕上がりを考慮し、フィニッシング装置および排紙トレイに通紙可能な記録紙には限定されているため、記録紙の種類の同じものが給紙可能かを判断する。給紙をしている記録紙の種類は、普通紙であるため、普通紙に相当する給紙カセットは存在しない。そのためこの場合は給紙を停止し、操作部１２３に記録紙がないことを表示する。
【００４５】
以上、記録紙の種類を普通紙、再生紙、色紙について述べてきたが、これに限定されるものではない。また、パンチ穴開けを行うフィニッシングの場合に厚紙を選択しないことを述べたが、この例に限定するものではなく、ステイプルを行う場合に、不具合を生ずるＯＨＰ紙や、第二原図紙の場合も選択されない。フィニッシングを行う場合に不具合を生じる記録紙の種類は選択を行わない。
【００４６】
【発明の効果】
以上説明したように、本発明によれば、記録紙を給紙する複数の給紙手段と、前記給紙手段から給紙された記録紙に画像を形成する画像形成手段と、前記画像形成手段により画像形成された記録紙を排紙する複数の排紙手段と、前記複数の給紙手段のそれぞれにセットされた記録紙の種類を判別する第１の判別手段と、前記複数の給紙手段のそれぞれにセットされた記録紙のサイズを取得する取得手段と、前記複数の排紙手段のうち排紙すべき排紙手段を指示する指示手段と、前記複数の給紙手段のどれを使用するかを自動的に決定する自動用紙選択モードを設定するモード設定手段と、前記自動用紙選択モードが設定されている場合に、前記指示手段により指示された排紙手段と前記第１の判別手段により判別された記録紙の種類と前記取得手段により取得された記録紙のサイズとに応じて、給紙手段を選択する選択手段とを有し、前記選択手段は、前記指示手段により指示された排紙手段に排紙可能な記録紙の種類に基づいて給紙手段を選択するので、選択した排紙手段に適応した種類の記録紙を収納した給紙手段が自動的に選択され、選択した排紙手段で紙詰まりが生じることを未然に防止できる。
【図面の簡単な説明】
【図１】画像形成装置の全体図である。
【図２】リーダ部１のブロック図である。
【図３】画像形成装置のブロック図である。
【図４】操作部１２３の外観図である。
【図５】画像の記憶方法及び読み出し方法の説明図である。
【図６】画像メモリ１２０の説明図である。
【図７】操作部１２３における各操作画面の図である。
【図８】本発明の実施形態の給紙カセット自動選択のフローチャートである。
【図９】本発明の実施形態の給紙カセットが紙なしになったときの給紙カセットの自動切り換えのフローチャートである。
【図１０】本発明の実施形態の排紙トレイが満載となったときの排紙トレイ切り替えのフローチャートである。
【図１１】本発明の実施形態のフィニッシング装置３が接続されている場合のフローチャートである。
【図１２】本発明の実施形態のフィニッシング装置３が接続されている場合の給紙カセットの自動選択のフローチャートである。
【符号の説明】
１  リーダ部
２  プリンタ部
３  フィニッシング装置
１０１  原稿給送装置
１０２  原稿台ガラス
２１４〜２１７  給紙カセット
２４０、２４１  フラッパ
２１０、２１１  排紙トレイ
３０５  排紙トレイ
【図１】
0003639816.tif 000002
【図２】
0003639816.tif 000003
【図３】
0003639816.tif 000004
【図４】
0003639816.tif 000005
【図５】
0003639816.tif 000006
【図６】
0003639816.tif 000007
【図７】
0003639816.tif 000008
【図８】
0003639816.tif 000009
【図９】
0003639816.tif 000010
【図１０】
0003639816.tif 000011
【図１１】
0003639816.tif 000012
【図１２】
0003639816.tif 000013